(57)【特許請求の範囲】
【請求項１】
建物の室内面に添設するパネル材の側縁部に設ける枠材を、建物の室内面に固定すると共にパネル材の側縁部を取り付けるためのベース部材と、枠材の表面部を構成するカバー部材とを有して構成し、側外方に発光する発光部材とこれを装着するケース部材とを有して構成された照明装置を上記枠材に取り付けて成るパネル外枠構造であって、ベース部材の側外部に設けたケース用係合部に対してケース部材の側内部に設けたケース用被係合部を係合させてベース部材の側外方に照明装置を配設し、ベース部材の表面部に設けたカバー用係合部に対してカバー部材の裏面部に設けたカバー用被係合部を係合させてベース部材及び照明装置の表面側をカバー部材で覆ったことを特徴とするパネル外枠構造。
【請求項２】
ケース部材に側外方に開口する外側凹条部と側内方に開口する内側凹条部とを設け、照明装置を構成する長手方向の端部に設けた光源からの光を内部に導入して側外方に照射させる長尺の導光材を上記外側凹条部の内部に収めて配設可能にし、内部を光源への配線を収める配線収納スペースとする内側凹条部の内側開口の両縁に先端が自由端となる突起状のケース用被係合部を形成したことを特徴とする請求項１記載のパネル外枠構造。
【請求項３】
パネル材のコーナー部に枠材のカバー部材及びケース部材の切れ目を設けると共に、この切れ目に一端がカバー部材に表側から当接されて他端が室内面に固定されたストッパーを設け、ストッパー及び切れ目を覆うコーナーカバー部材を切れ目に臨む一対のカバー部材に渡して配置し、コーナーカバー部材の裏面部の両幅端部に弾性を有する係合フックを幅内方向に突設し、切れ目に臨む一対のカバー部材の両幅端部を上記係合フックで裏方から包持したことを特徴とする請求項１又は２記載のパネル外枠構造。
【請求項４】
パネル材のコーナー部に枠材のカバー部材及びケース部材の切れ目を設け、切れ目を覆うコーナーカバー部材を切れ目に臨む一対のカバー部材に渡して配置し、隣接するベース部材の切れ目に臨む各部位にその長手方向に長い突条または凹条溝をそれぞれ設け、コーナーカバー部材に、突条に対してその長手方向でのスライド係合及びその突出方向での圧入係合を可能にする凹部または、凹状溝に対してその長手方向でのスライド係合及びその凹没方向での圧入係合を可能にする凸部を設けたことを特徴とする請求項１又は２記載のパネル外枠構造。
【発明の詳細な説明】
【技術分野】
【０００１】
本発明は、パネル外枠構造に関するものである。
【背景技術】
【０００２】
従来から建物の居室内面に照明装置を備えた装飾物を設けて室内外観を高めようとする試みがなされている（たとえば特許文献１参照）。
【０００３】
しかしながら、特許文献１のように板状装飾物自体を照らしたり光らせるものは平面的な電飾広告板を連想させて安っぽさを現出するから外観向上効果は期待できるものではなかった。
【０００４】
そこで本発明者は、鋭意研究の末、建物の室内面に添設したパネル材の周囲の室内面を照らし、間接照明でパネル材を浮き上がらせるといった従来に無い光の演出で、立体的な高級感のある室内外観を現出することを想起するに至った。しかしながら、このような室内装飾は、施工業者が望む良好な組立性を確保できる構造が確立されておらず、実現に至っていないのが現状であった。
【特許文献１】特開２００２−２１３１５号公報
【発明の開示】
【発明が解決しようとする課題】
【０００５】
本発明は上記の点に鑑みてなされたものであり、その目的とするところは、良好な組立性を確保して、従来に無い光の演出で良好な室内外観を現出可能となる、パネル外枠構造を提供することにある。
【課題を解決するための手段】
【０００６】
上記課題を解決するために請求項１に係る発明にあっては、以下の構成を有したことを特徴とする。すなわち、建物の室内面２に添設するパネル材３の側縁部に設ける枠材４を、建物の室内面２に固定すると共にパネル材３の側縁部を取り付けるためのベース部材７と、枠材４の表面部を構成するカバー部材８とを有して構成する。側外方に発光する発光部材とこれを装着するケース部材９とを有して構成された照明装置５を上記枠材４に取り付けて成るパネル外枠構造である。ベース部材７の側外部に設けたケース用係合部１１に対してケース部材９の側内部に設けたケース用被係合部２５を係合させてベース部材７の側外方に照明装置５を配設する。ベース部材７の表面部に設けたカバー用係合部１４に対してカバー部材８の裏面部に設けたカバー用被係合部３０を係合させてベース部材７及び照明装置５の表面側をカバー部材８で覆う。
【０００７】
これによると、建物の室内面２に添設するパネル材３の側縁部に設ける枠材４の構成物であるベース部材７とケース部材９とカバー部材８とは、室内面２に固定するベース部材７に対してケース部材９及びカバー部材８をそれぞれ係合構造で取り付けて一体化できるから、良好な組立性を確保したパネル外枠（枠材４）の構造を得ることができ、枠材４に取り付けた照明装置５によって建物の室内面２に添設したパネル材３の周囲の室内面２を照らし、間接照明でパネル材３を浮き上がらせるといった従来に無い光の演出で、立体的な高級感のある良好な室内外観を現出可能となる。
【０００８】
また、請求項２に係る発明にあっては、請求項１に加えて、以下の構成を有したことを特徴とする。すなわち、ケース部材９に側外方に開口する外側凹条部１８と側内方に開口する内側凹条部１９とを設ける。照明装置５を構成する長手方向の端部に設けた光源２１からの光を内部に導入して側外方に照射させる長尺の導光材２２を上記外側凹条部１８の内部に収めて配設する。内部を光源２１への配線を収める配線収納スペースＳとする内側凹条部１９の内側開口１９ａの両縁に先端が自由端となる突起状のケース用被係合部２５を形成する。
【０００９】
これによると、ケース部材９に設けた外側凹条部１８に照明装置５を構成する導光材２２を収めて表面側への光の漏れ防止効果を向上できる。また、配線収納スペースＳとなる内側凹条部１９の内側開口１９ａの両縁に形成した先端が自由端となる突起状のケース用被係合部２５は、内側凹条部１９の凹側面部位も利用して大きな弾性を備えることとなり、ケース用被係合部２５とケース用係合部１１とを作業性良く係合できて組立性を向上できる。
【００１０】
また、請求項３に係る発明にあっては、請求項１又は２に加えて、以下の構成を有したことを特徴とする。すなわち、パネル材３のコーナー部３ｂに枠材４のカバー部材８及びケース部材９の切れ目３４を設ける。切れ目３４に一端がカバー部材８の表側から当接されて他端が室内面２に固定されたストッパー３７を設ける。ストッパー３７及び切れ目３４を覆うコーナーカバー部材６を切れ目３４に臨む一対のカバー部材８に渡して配置する。コーナーカバー部材６の裏面部の両幅端部に弾性を有する係合フック３６を幅内方向に突設する。切れ目３４に臨む一対のカバー部材８の両幅端部を上記係合フック３６で裏方から包持する。
【００１１】
これによると、コーナーカバー部材６を切れ目３４に臨む一対のカバー部材８に向けて表側から近接させ、係合フック３６を弾性変形させてカバー部材８の両幅端部に裏方から包持させることができるから、パネル材３のコーナー部３ｂへのコーナーカバー部材６の収まりよい被着を作業性良く行うことができ、照明装置５を備えたパネル外枠（枠材４）に良好な組立性を確保できる。また、コーナーカバー部材６はカバー部材８の表側を被覆するからカバー部材８及びケース部材９の切れ目３４は空所となっており、この空所となった切れ目３４を利用して配置したストッパー３７によってカバー部材８の室内面２への取付強度を補強できる。
【００１２】
また、請求項４に係る発明にあっては、請求項１又は２に加えて、以下の構成を有したことを特徴とする。すなわち、パネル材３のコーナー部３ｂに枠材４のカバー部材８及びケース部材９の切れ目３４を設ける。切れ目３４を覆うコーナーカバー部材６を切れ目３４に臨む一対のカバー部材８に渡して配置する。隣接するベース部材７の切れ目３４に臨む各部位にその長手方向に長い突条３９または凹条溝をそれぞれ設ける。コーナーカバー部材６に、突条３９に対してその長手方向でのスライド係合及びその突出方向での圧入係合を可能にする凹部４１または、凹状溝に対してその長手方向でのスライド係合及びその凹没方向での圧入係合を可能にする凸部を設ける。
【００１３】
これによると、コーナーカバー部材６は、切れ目３４に臨む一対のベース部材７の各延長線方向のいずれの方向からも、突条３９と凹部４１とを係合（または凹条溝と凸部とを係合）させることができ、作業性良くパネル材３のコーナー部３ｂに被着できる。これは、パネル材３のコーナー部３ｂの一側に遮蔽物などで取付作業スペースが採れない場合に特に有効である。
【発明の効果】
【００１４】
本発明にあっては、パネル外枠に良好な組立性を確保して、従来に無い光の演出で良好な室内外観を現出可能となる、という利点を有する。
【発明を実施するための最良の形態】
【００１５】
以下、本発明を添付図面に示す実施形態に基いて説明する。
【００１６】
本例の室内装飾物１は、図１（ａ）のように、建物の天井面や壁面等の室内面２にパネル材３を添わせて配設し、このパネル材３の周縁に設けたパネル外枠（以下、枠材４という）に照明装置５を備え、この照明装置５でパネル材３の周囲の室内面２を照らすことで、間接照明にてパネル材３の室内面２からの浮き上がりを強調するといった従来に無い光の演出で、立体的で高級感のある良好な室内外観を現出可能にしたものである。なお、図中点を付した領域が光の照射された領域である。
【００１７】
パネル材３は木製や金属製等、適宜材質の板材を用いることができ、本例では複数枚の小パネル材３´を並設して互いに嵌合等で連結させて一枚の矩形状のパネル材３を形成させている。
【００１８】
枠材４は、樹脂製または金属製であり、パネル材３の各辺部３ａでは長尺の辺枠部４ａをそれぞれ設けると共に、辺枠部４ａの切れ目３４となるパネル材３のコーナー部３ｂではコーナーカバー部材６を被設することで、パネル材３の周囲を連続して囲うように設けられる。枠材４の辺枠部４ａは、図１（ｂ）のように、建物の室内面２に固定すると共にパネル材３の側縁部を取り付けるためのベース部材７と、辺枠部４ａの表面部を構成するカバー部材８とで構成されている。そして、この枠材４には、側外方に発光する発光部材とこれを装着するケース部材９とを有して構成された照明装置５が取り付けられる。
【００１９】
なお、図１（ｂ）は枠材４の辺枠部４ａをその長手方向で分断するように断面を設定した縦断面図であり、便宜上、矢印イを側内方向（パネル材３の中央に向く方向）、矢印ロを側外方向（パネル材３から離れる方向）、矢印ハを表方向（室内空間に向く方向）、矢印ニを裏方向（室内面２に向く方向）として説明をしていく。
【００２０】
ベース部材７は、裏面が室内面当接面となる裏フランジ片７ａから表側にウェブ片７ｂを突設し、ウェブ片７ｂの突出先端部に表フランジ片７ｃを形成して成る略Ｉ字状の縦断面を有し、パネル材３の辺部３ａに亙る長さを有する長尺型枠材である。このベース部材７は釘やビス等の固着具を裏フランジ片７ａに通して室内面２に打入することで室内面２に固定されるのであり、両フランジ片７ａ，７ｃとウェブ片７ｂとで囲まれて内側に開口するパネル取付用凹所１０にパネル材３の側端部を係合してパネル材３を支持する。
【００２１】
また、ベース部材７の側外部にはケース部材９を着脱させるケース用係合部１１が設けられている。ケース用係合部１１はウェブ片７ｂの外側面から突設した一対の係合用突部１２から成り、この一対の係合用突部１２の突出根元部にはそれぞれ対向方向へ凹む係合凹部１３が形成されている。また、ベース部材７の表面部にはカバー部材８を着脱させるカバー用係合部１４が設けられている。カバー用係合部１４は表側に開口して裏側に凹む係合用凹部１５から成り、この係合用凹部１５の表側開口の両縁には開口中央側に突出した係合突起１６が形成されている。
【００２２】
ケース部材９は、図１（ｂ）、図２のように、対向する裏フランジ片１７ａと表フランジ片１７ｃとの間にウェブ片１７ｂを架設して成る略工字状の縦断面を有する長尺型枠材であり、このケース部材９に側外方に発光する発光部材が装着されて照明装置５が構成される。詳しくは、ケース部材９は、それぞれ裏フランジ片１７ａと表フランジ片１７ｃとウェブ片１７ｂとで囲繞されて側外方に開口する外側凹条部１８と側内方に開口する内側凹条部１９とがウェブ片１７ｂを介して背中合わせに設けられている。
【００２３】
ここで、発光部材は、長手方向の端部に設けた光源２１からの光を内部に導入して側外方に照射させる長尺板状の導光材２２で構成される。なお、光源２１は後述のようにケー
ス部材９の長手方向の端部に装着したキャップ部材２０に設けられる。導光材２２の内方端面における表側域には凹凸を刻設する等して成る導光パターン２４が形成され、この導光パターン２４で導光材２２の内部の光を側外方で且つ室内面２に向けて反射させて照射させている。この導光パターン２４は導光材２２の長手方向に亙って設けられ、導光材２２から線状光を照射可能にしている。
【００２４】
この導光材２２は外側凹条部１８の外側開口１８ａの両縁に形成された抜止め凸部２３によって抜け止めがされた状態で外側凹条部１８の内部に収めて配設される。また、内側凹条部１９の内部は配線収納スペースＳとして利用されて光源２１への給電線が収めて配線される。なお、光源２１としてはＬＥＤなどの発光機器が好適に用いられ、また図中２１ａは光源２１に付属する給電線接続コネクタである。
【００２５】
また、ケース部材９の内側凹条部１９の内側開口１９ａの両縁には、先端が自由端となる突起状のケース用被係合部２５が設けられている。ケース用被係合部２５は裏フランジ片１７ａ及び表フランジ片１７ｃの各内側端部で構成され、該内側端部には対向方向に突出する係合突起２６が形成されている。なお、本例では裏フランジ片１７ａの内側端部近傍が表側に屈曲されて内側凹条部１９の内側開口１９ａが幅狭になるように形成されており、内側凹条部１９の内部の配線収納スペースＳに配線した給電線が内側開口１９ａから飛び出る恐れを低減させている。また、ケース部材９に剛性を付与するウェブ片１７ｂの近傍には、キャップ部材２０を固定するビス等の固定具２７（図２（ｃ））を挿着させる挿着孔２８が形成されている。
【００２６】
ここで、キャップ部材２０はケース部材９の長手方向の両端を塞ぐように装着されるのであるが、本例のように少なくとも一方のキャップ部材２０を光源２１の備わるキャップ部材２０ａで構成すればよく、このとき他方のキャップ部材２０は光源２１が備わらないが導光材２２の内部を経て至った光を再び導光材２２の内部に反射させるキャップ部材２０ｂで構成することができる。なお、少なくとも一方のキャップ部材２０には、導光材２２の内部を経て至った光の一部を透過させる、貫通孔や透明部材等で成る透光部２９が形成されている。
【００２７】
そして、この照明装置５は、ケース部材９のケース用被係合部２５をベース部材７のケース用係合部１１に係合させることで、ベース部材７の側外方に添うように配設される。詳しくは、このケース用被係合部２５とケース用係合部１１との係合は、内側凹条部１９の内側開口１９ａ内に一対の係合用突部１２を挿入させて各係合突起２６を各係合凹部１３にそれぞれ係止することで行われる。なお、突起状のケース用被係合部２５は、内側端部が自由端となる裏フランジ片１７ａや表フランジ片１７ｃ（内側凹条部１９の凹側面部位）も利用して大きな弾性を備えることとなっており、ケース部材９をベース部材７に側外方から近づけた際には内側凹条部１９の内側開口１９ａを拡げるように変形させつつ係合用突部１２を内側開口１９ａ内に挿入することができ、ベース部材７のケース用係合部１１と作業性良く係合できて組立性の向上が図られている。
【００２８】
なお、本例では、パネル材３の辺部３ａに対して２つの照明装置５を列設配置し、各照明装置５にて側外方に光を照射させているが、隙間が形成される照明装置５の連結部位でもキャップ部材２０に設けた透光部２９からの光を側外方に照射させて、パネル材３の辺部３ａの周囲の室内面２をムラなく照らし得るようにしている。
【００２９】
カバー部材８は、面一状の表面を有する長尺の板状部材であり、その裏面部にはカバー用被係合部３０が設けられている。カバー用被係合部３０は裏方に突設した一対の係合用突部３１から成り、この一対の係合用突部３１の突出根元部にはそれぞれ対向方向へ凹む係合凹部３２が形成されている。なお、カバー部材８の両幅端部には室内面２側に折り曲げた折曲縁３３が形成され、リブ効果により剛性強度が高められている。
【００３０】
そして、このカバー部材８は、カバー用被係合部３０をベース部材７のカバー用係合部１４に係合させることで、ベース部材７及び照明装置５の表面側を覆うように配設される。詳しくは、このケース用被係合部２５とケース用係合部１１との係合は、カバー部材８をベース部材７に表側から近接させ、係合用凹部１５内に一対の係合用突部３１を挿入させて各係合突起１６を各係合凹部３２にそれぞれ係止することで行われる。
【００３１】
なお、ベース部材７に取り付けたカバー部材８の外側端部は照明装置５の外側端部よりも外方位置に位置されることとなり、照明装置５から照射した光を室内側に至らせないように遮る庇部４３を構成している。すなわち、側外端部が照明装置５より側外方に位置した庇部４３によって照明装置５から照射した光を室内側に至らせないように遮るようにでき、パネル材３の周囲の室内面２を照らして得る間接照明を確実且つ綺麗に現出でき、室内外観の向上が図られている。
【００３２】
更に言うと、照明装置５における導光材２２はその導光パターン２４が光を側外方に向けて照射する実質的な発光部位となっているのであり、この導光パターン２４は、導光材２２の内方端面における表側域にのみ設けられており、つまり外側凹条部１８の室内側構成部位（ケース部材９の表フランジ片１７ｃ）の直ぐ裏手に位置している。したがって、導光パターン２４から照射された光は外側凹条部１８の室内側構成部位で遮って室内側に照射されることが防止されるから、この点でも、パネル材３の周囲の室内面２を照らすことで得る間接照明を確実且つ綺麗に現出でき、室内外観の向上が図られている。
【００３３】
なお、導光パターン２４から照射された光のうち庇部４３を含めた外側凹条部１８の室内側構成部位で遮られた光は、パネル材３の側外方の室内面２に向けて反射されるので、光を集めて間接照明の照度を向上させることができる利点も有している。
【００３４】
このように建物の室内面２に添設するパネル材３の側縁部に設ける枠材４の構成物であるベース部材７とケース部材９とカバー部材８とは、室内面２に固定するベース部材７に対してケース部材９及びカバー部材８をそれぞれ係合構造で取り付けて一体化できるから、良好な組立性を確保したパネル外枠構造を得ることができたのであり、つまり、図１（ａ）のように、枠材４に取り付けた照明装置５によってパネル材３の周囲の室内面２を照らし、間接照明にてパネル材３を浮き上がらせるといった従来に無い光の演出で、立体的で高級感のある良好な室内外観を現出可能となる。
【００３５】
以下、パネル材３のコーナー部３ｂに沿って被着するコーナーカバー部材６の取付構造を説明する。ここで、図３（ａ）のように、パネル材３の側縁部におけるコーナー部３ｂでは、枠材４のカバー部材８や照明装置５が設けられず、いわゆる辺枠部４ａ間の切れ目３４となっている。つまり、切れ目３４にはコーナー部３ｂを介して隣接するパネル材３の辺部３ａにそれぞれ設けた枠材４の辺枠部４ａの長手端部がそれぞれ臨んでいる。コーナーカバー部材６は、図３（ｃ）のように、切れ目３４に臨む一対のカバー部材８に渡すように配置されて切れ目３４を覆うように設けられる。なお、本例ではパネル材３のコーナー部３ｂは直角コーナー形状であり、この外側方を縁取るコーナーカバー部材６は平面視Ｌ字形状に形成されている。
【００３６】
詳しくは、コーナーカバー部材６は面一形状の表面を有した板材で構成され、その長さ方向（Ｌ字を描く方向）の両端部にはそれぞれカバー部材８に重ねられる重合部３５が設けられている。そして、本例のコーナーカバー部材６の各重合部３５の裏面部では、図３（ｂ）のように、コーナーカバー部材６の両幅端部にそれぞれ幅内方向に突出する係合フック３６が形成されている。図３（ａ）の矢印ａのようにコーナーカバー部材６を表側か
らカバー部材８に近接させた際には、一対の係合フック３６が、カバー部材８の両幅端部を乗り越えるべく幅を拡げるように弾性変形すると共に、カバー部材８の両幅端部を乗り越えた後には弾性復帰し、カバー部材８の両幅端部を裏方から包持する。これによりコーナーカバー部材６が切れ目３４に臨む一対のカバー部材８に取り付けられて、パネル材３を囲繞する枠材４が形成される。このように本例ではパネル材３のコーナー部３ｂへのコーナーカバー部材６の収まりよい被着を作業性良く行うことができたのであり、パネル外枠（外枠４）に良好な組立性を確保できたものである。
【００３７】
なお、本例ではコーナーカバー部材６はカバー部材８の表側を被覆するからカバー部材８及びケース部材９の切れ目３４は空所となっており、この空所となった切れ目３４を利用して配置したストッパー３７によってカバー部材８の室内面２への取付強度を補強している。詳しくは、ストッパー３７は、図３（ａ）のように、一端をカバー部材８の表側から当接させて他端を室内面２に釘やネジ等の固着具を用いて固定する略Ｚ字状の金属片であり、このストッパー３７は、図３（ｃ）のように、表側からコーナーカバー部材６によって覆われて室内外観には露出しないようにされ、良好な外観を崩さないようにされている。
【００３８】
また、コーナーカバー部材６の重合部３５以外の裏面部には、図３（ｂ）のように、ケース部材９のウェブ片１７ｂに連続するような配線隠しリブ３８が平面視Ｌ字状に突設されている。配線隠しリブ３８はその側内方に、切れ目３４に臨む一対のケース部材９の配線収納スペースＳ同士を連続させるようなコーナー配線収納スペースＳ´を切れ目３４に形成するためのものであって、コーナー配線収納スペースＳ´に配線した給電線を枠材４の側外方に飛び出さないようにしている。
【００３９】
また、パネル材３のコーナー部３ｂに沿って被着するコーナーカバー部材６の取付構造としては、図４乃至図６のような構造も採用できる。なお、本例を説明するに当たり、先例と同様部位には同符号を付して説明を省き、異なる部位につき説明する。
【００４０】
切れ目３４にはパネル材３のコーナー部３ｂを介して隣接するベース部材７の長手端部が臨んでいるが、この各ベース部材７の切れ目３４に臨む部位にはその長手方向に長い突条３９が形成されている。なお、上記突条３９は本例ではケース用係合部１１がこれを構成している。また、コーナーカバー部材６には、図４（ｂ）のように、配線隠しリブ３８のＬ字を形作る各片からそれぞれ側内方に向けて一対の嵌合用リブ４０が突設されており、各一対の嵌合用リブ４０の間がそれぞれ側内方に開口する凹部４１となっている。なお、この凹部４１の内側開口４１ａの両縁（すなわち嵌合用リブ４０の突出先端部）には、対向方向に突出する係合突起４２がそれぞれ形成されている。
【００４１】
ここで、この凹部４１は、突条３９に対してその長手方向でのスライド係合を可能にすると共に、突条３９に対してその突出方向での圧入係合を可能にしている。具体的に言うと、突条３９と凹部４１との係合状態は、図５のように、突条３９を構成するケース用係合部１１の係合用突部１２が凹部４１の内側開口４１ａに挿入されると共に凹部４１の内側開口４１ａの両縁の一対の係合突起４２が一対のケース用係合部１１の係合凹部１３にそれぞれ係止した状態である。そして、上記突条３９と凹部４１との係合状態にするには、図５の矢印ｂのように凹部４１のあるコーナーカバー部材６を突条３９のあるベース部材７に側外方から近接させて凹部に突条３９を圧入する第１の方法と、図６の矢印ｃのように凹部４１のあるコーナーカバー部材６を突条３９のあるベース部材７に対して側内外方向及び表裏方向に対して垂直な方向から近接させて凹部４１に突条３９をスライド挿入する第２の方法とが可能にしてある。
【００４２】
なお、第１の方法にて凹部４１と突条３９とを係合させる場合、本例では凹部４１を形
作る一対の嵌合用リブ４０はケース部材９の裏フランジ片１７ａ及び表フランジ片１７ｃと同様に先端が自由端に形成されると共に、嵌合用リブ４０の配線隠しリブ３８からの突出寸法がケース部材９の裏フランジ片１７ａ及び表フランジ片１７ｃのウェブ片１７ｂからの突出寸法と同様であるから、各嵌合用リブ４０に充分な弾性を持たせることができ、凹部４１に突条３９を圧入にかかる力を低減させる配慮もなされている。
【００４３】
つまり、コーナーカバー部材６は、図６（ａ）（ｂ）のように、切れ目３４に臨む一対のベース部材７の各延長線方向のいずれの方向からも、突条３９と凹部４１とを係合させることができる。したがって、作業性良くパネル材３のコーナー部３ｂに被着できる。これは特に、パネル材３のコーナー部３ｂの一側に建物の壁や天井の遮蔽物があって取付作業スペースが採れない場合に、この遮蔽物を避けるべく、遮蔽物のないパネル材３のコーナー部３ｂの他側からコーナーカバー部材６をパネル材３のコーナー部３ｂに設けることができて有効である。
【００４４】
なお、突条３９と凹部４１とはいわゆる凹凸嵌合であるから、凹凸の関係を逆にすることもできる。すなわち図示はしないが、コーナーカバー部材６に凹条溝を形成すると共にベース部材７に凸部を形成し、凹条溝を、凸部に対してその長手方向でのスライド係合を可能にすると共に、突部に対してその突出方向での圧入係合を可能にすることでも、先例同様の作用効果を備えるようにできる。
【００４５】
また、上記実施形態では照明装置５における光を側外方に向けて照射する実質的な発光部位としては導光材２２の内方端面に刻設した導光パターン２４がこれを構成しているが、たとえば導光材２２の内方端面に貼着等して添設した反射部材などの他の手段で構成することもできる。
【００４６】
次に、他の実施形態について図７に基づいて説明する。なお、本実施形態は図１に示す実施形態と大部分において同じであるため、同じ部分においては同符号を付して説明を省略し、主に異なる部分について説明する。
【００４７】
本実施形態の室内装飾物１は、固定されたベース部材７にカバー部材８を配して形成された枠材４に、発光部材としての導光材２２をケース部材９の内部に収容した照明装置５を取り付けて、パネル材３の表方向（矢印ハ側）の面（以下、単に、パネル材の表面という）に照明装置５を位置させた状態で、且つ該パネル材３の側縁部にこれらを配して成るものである。
【００４８】
室内面２に固定されるベース部材７は、裏面（矢印ニ側）を室内当接面とする裏フランジ片７ａの端部から表側にウェブ片７ｂを垂設し、このウェブ片７ｂの突出先端部に表フランジ片７ｃをパネル材３の表面に沿うようにして設けている。更に、表フランジ片７ｃのウェブ片７ｂが設けられた辺の反対側の端辺から取付用垂片７ｄが突設してある。このベース部材７は、パネル材３の辺部３ａ（図１（ａ）参照）の略全長に亙る長さを有する長尺型枠材であり、釘やビス等の固着具を裏フランジ片７ａに通して室内面２に打入することで室内面２に固定されている。この裏フランジ片７ａとウェブ片７ｂと表フランジ片７ｃとで形成する断面コ字形状の空間にパネル材３の側端部が嵌入してあり、パネル材３を室内面２に支持し固定している。
【００４９】
また、ベース部材７の取付用垂片７ｄの突出先端部には、カバー部材８を着脱させるカバー用係合部１４が設けられており、このカバー用係合部１４は表側（矢印ハ側）に開口して且つ裏面に凹む係合用凹部１５から成っている。この係合用凹部１５の開口両縁には開口中央側に臨んで突出した係合突起１６が形成されている。更に、このベース部材７の取付用垂片７ｄにはケース部材９を着脱させるケース用係合部１１が設けられている。このケース用係合部１１は、取付用垂片７ｄの突出先端の側外方（矢印ロ側）の面から側外方向に臨んで突設した一対の両掛嵌合部１１０と、取付用垂片７ｄの突出基部の近傍に設けられた片掛係止部１１１と、から構成されている。一対の両掛嵌合部１１０の開口両縁には、先端程細くなり且つ先端程互いに離間するようにして形成される一対の係止導入部１１０ａが形成してあり、この一対の係止導入部１１０ａの先端と反対側に位置する部位には開口中央に臨んで対向して突出する導入突部１１０ｂが設けられている。また、片掛係止部１１１は、ケース用被係合部２５が係合する片掛係止突起１１１ａが形成されており、この片掛係止部１１１は、両掛嵌合部１１０よりも側内方向（矢印イ側）にずれて設けられている。
【００５０】
このように形成されたベース部材７のケース用係合部１１には、導光材２２を取付けるケース部材９が取り付けられる。
【００５１】
このケース部材９は、ベース部材７に沿うようにして設けられる長尺型枠材であり、このケース部材９には、側外方向に向けて発光する導光材２２が装着される。詳しくは、ケース部材９は、裏フランジ片１７ａと表フランジ片１７ｃとウェブ片１７ｂとで囲まれて側外方に開口する外側凹条部１８と、側内方に開口し光源への配線を収める配線収納スペースとなる内側凹条部１９とが、ウェブ片１７ｂを介して背中合わせに設けられており、この外側凹条部１８に導光材２２が嵌め込まれて装着されている。
【００５２】
ケース部材９の側内方向の端部には、ベース部材７に形成されたケース用係合部１１に係止されるケース用被係合部２５が設けられている。ケース用被係合部２５は、ケース部材９の表フランジ片１７ｃの端部に設けられてケース用係合部１１の両掛嵌合部１１０に嵌入する両掛被嵌合部２５０と、ケース部材９の裏フランジ片１７ａの端部に設けられて片掛係止部１１１の片掛係止突起１１１ａと係合する片掛被係止部２５１とで構成され、該片掛被係止部２５１の先端には誘い部２５１ａが先端程細くなるようにして形成されている。上述したように、ベース部材７に設けられた片掛係止部１１１と両掛嵌合部１１０とは、内外方向（矢印イロの方向）にずれて設置されているため、この両掛被嵌合部２５０と片掛被係止部２５１の両先端部は互いに内外方向にずれて位置しており、つまり、片掛被係止部２５１を備える裏フランジ片１７ａのほうが表フランジ片１７ｃよりも、側内方向に長く形成されている。両掛被嵌合部２５０は、図７に示すように、先端程細い断面略三角形状を成しており、両掛嵌合部１１０に設けられた互いに対向する導入突部１１０ｂと係合する両掛被嵌合部突起２５０ａを備えている。更に、両掛被嵌合部２５０の表側の面で、且つ、両掛被嵌合部突起２５０ａよりも側外方に位置する部位に、表側に向けて取付用支点部２５０ｂが突設されている。
【００５３】
ケース部材９の側外方向の端部には、上述したように導光材２２が嵌め込まれて装着されているが、その導光材２２を収容している外側凹条部１８の外側開口１８ａを閉塞するようにして、断面コ字形状を成し透光性を有する化粧カバーＤを被嵌している。詳しくは、裏フランジ片１７ａの側外端部の裏側の面と表フランジ片１７ｃの側外方端部の表側の面とに化粧カバーＤの縁辺と係合する化粧カバー係止部Ｄ´がそれぞれ形成されており、これにより、化粧カバーＤがケース部材９に対して係合して設置される。
【００５４】
ベース部材７の取付用垂片７ｄの先端に設けられたカバー用係合部１４にはカバー部材８が配設されている。
【００５５】
本実施形態のカバー部材８は横片８ａと縦片８ｂとから成り、全体として断面略Ｌ字形状を成して形成されている。そして、先に述べた実施例と同様に、カバー部材８の横片８ａの外方縁辺には折曲縁３３が設けられており、リブ効果により強度が高められている。このカバー部材８の横片８ａの裏面には、カバー用被係合部３０が突設してあり、このカバー用被係合部３０をベース部材７のカバー用係合部１４としての係合用凹部１５に挿入して、カバー部材８をベース部材７に設置する。カバー用被係合部３０には被係合突起３０ａが突設されており、この被係合突起３０ａが係合用凹部１５に設けられた係合突起１６に係合することで、カバー部材８の抜け止めがなされている。このようにして、ベース部材７及び照明装置５の表面側をカバー部材８により覆い、良好な外観を維持するようになっている。
【００５６】
叙述のごとく構成された本実施形態の室内装飾物１を取り付けるに当たっては、あらかじめ建物の室内面２に釘やビス等の固着具で取り付けておいたベース部材７に、パネル材３の側縁部を支持・固定しておき、その取り付けられたベース部材７の取付用垂片７ｄにケース部材９を取り付ける。
【００５７】
ケース部材９をベース部材７に取り付けるに当たっては、図８に示すように、まず、ケース部材９を固定されたベース部材７に対して傾けた状態で、ケース部材９の表フランジ片１７ｃにある両掛嵌合部１１０の取付用支点部２５０ｂを、固定されたベース部材７の取付用垂片７ｄにある一対の両掛嵌合部１１０のうちの表側（矢印ハ側）の両掛嵌合部１１０に備える係止導入部１１０ａに押し当てる。このように押し当てた状態を維持したまま、取付用支点部２５０ｂを支点として、傾けた状態のケース部材９をベース部材７側に向けて水平な状態になるまで回動させて、ケース部材９を取り付ける。詳しくは、取付用支点部２５０ｂを支点として傾いた状態のケース部材９を回動していく際、まずケース部材９の片掛被係止部２５１の誘い部２５１ａが、ベース部材７の片掛係止部１１１の片掛係止突起１１１ａに当接する。そのまま、回動を続けると、ケース部材９の片掛被係止部２５１が表側方向に弾性的に変形移動し、そのまま片掛係止突起１１１ａを乗り越えて、片掛被係止部２５１が裏側方向に復元することで、この片掛被係止部２５１が片掛係止部１１１の片掛係止突起１１１ａに係合する。なお、両掛被嵌合部２５０において、取付用支点部２５０ｂよりも側内方向に両掛被嵌合部突起２５０ａが位置しているので、取付用支点部２５０ｂを支点として上記のように回動をしていくと、一対の両掛嵌合部１１０の導入突部１１０ｂに両掛被嵌合部突起２５０ａが嵌まり込むようになっている。このように、両掛嵌合部１１０と片掛係止部１１１において係止が完了すれば、ケース部材９はベース部材７に対して移動不能となり、ケース部材９（照明装置５）の設置が完了する。
【００５８】
本実施形態のケース部材９は、このように取付用支点部２５０ｂを利用して回動して取り付けるようにしているため、取り付け前のケース部材９を水平状態に保持したまま、ベース部材７に取り付けるものよりも簡単に設置することが可能となる。更に、片掛被係止部２５１を備える裏フランジ片１７ａを側内方向に長く形成しているから、容易に片掛被係止部２５１が弾性的に移動できるのであり、このように片掛被係止部２５１を備える裏フランジ片１７ａを側内方向に長く形成してバネ性を向上させ撓み易くさせた結果、ケース部材９をベース部材７に簡単且つ確実に設置することができるようになっている。
【００５９】
また、両掛被嵌合部２５０と片掛被係止部２５１の両先端部は互いに表裏方向（矢印ハ二の方向）にずれて位置させており、その上、内外方向（矢印イロの方向）にもずれて位置しているから、ケース部材９の自重により発生する回転力（図中矢印ホ）を効果的に支持することができるのであり、つまり、ケース部材９や導光材２２の自重が重くなったり、ケース部材９が内外方向に長くなったりしても、本実施形態の構成によればケース部材９の傾きを確実に防止することができる。なお、図中の矢印方向におけるケース部材９の回転力（自重による回転力）のみならず、この矢印とは逆方向の回転力に対しても、本実施形態の構造によれば、該回転力を効率良く受けることができるので、ケース部材９のガタツキをも防ぐことが可能となっている。これにより、ケース部材９のガタツキや傾きを確実に防止することができるので、照明装置５から発せられる光のばらつきや光ムラが抑制でき、室内の演出性を向上させることができる。
【００６０】
更に、ケース部材９に取り付けてある導光材２２の側外方向には、化粧カバーＤが設置してあるから、室内装飾物１としての意匠性を高め、高級感を損なわないようになっている。
【００６１】
なお、片掛係止部１１１に設けられている片掛係止突起１１１ａを大きくしたり、片掛被係止部２５１の隆起を大きく設けたりすることで、より一層、ベース部材７とケース部材９（照明装置５）との設置強度（連結強度）を高めることができる。また、片掛被係止部２５１に備える誘い部１１１ｂを大きく（斜辺を長く）形成することにより、ケース部材９（照明装置５）をベース部材７に設置するに当たり、ベース部材７の片掛係止部１１１の片掛係止突起１１１ａをこの片掛被係止部２５１の誘い部２５１ａに確実に当接させることができ、その結果、容易にケース部材９（照明装置５）をベース部材７に設置することができるので、より一層作業性を向上させることができる。
【００６２】
以上、本発明の実施の形態について詳細に説明してきたが、これらの例に限らず、本発明は他の応用展開も可能である。照明装置５は、そのケース部材９に設けたケース用被係合部２５に係合可能な係合部を有する固定部材に対しては、ベース部材７に対してと同様に、取り付けることができるので、そのような固定部材がパネル材３外枠以外の天井や壁などの内装面に設置可能とすれば、照明装置５を天井や壁などの内装面にも取付可能なものとなる。
【図面の簡単な説明】
【００６３】
【図１】本発明の実施の形態の例の室内装飾であり、（ａ）は全体斜視図であり、（ｂ）は（ａ）のＡ−Ａ線の縦断面図である。
【図２】同上の照明装置であり、（ａ）は全体斜視図であり、（ｂ）は分解斜視図であり、（ｃ）は（ａ）のＢ部分の斜視図であり、（ｄ）は（ａ）のＢ部分を別の方向から見た一部を透視した斜視図である。
【図３】同上のコーナーカバー部材の取り付けを説明する説明図であり、（ａ）は室内装飾の要部の分解斜視図であり、（ｂ）はコーナーカバー部材を裏面側から見た斜視図であり、（ｃ）はコーナーカバー部材を装着した状態の要部の斜視図であり、（ｄ）は（ｃ）のＣ−Ｃ線断面図である。
【図４】本発明の実施の形態の他例のコーナーカバー部材であり、（ａ）は表側から見た斜視図であり、（ｂ）は裏面側から見た斜視図である。
【図５】同上のコーナーカバー部材を装着した状態の断面図（図１（ａ）のＤ−Ｄ線断面に相当）である。
【図６】同上のコーナーカバー部材の取り付けを説明する説明図であり、（ａ）（ｂ）はパネル材のコーナー部に異なる方向からコーナーカバー部材を取り付けている状態の斜視図である。
【図７】本発明の実施の形態の他例の室内装飾の縦断面図である。
【図８】同上の照明装置をベース部材に取り付ける際の説明図である。
【符号の説明】
【００６４】
１    室内装飾物
２    室内面
３    パネル材
４    枠材
５    照明装置
６    コーナーカバー部材
７    ベース部材
８    カバー部材
９    ケース部材
１１  ケース用係合部
１４  カバー用係合部
１８  外側凹条部
１９  内側凹条部
２１  光源
２２  導光材
２５  ケース用被係合部
３０  カバー用被係合部
３４  切れ目
３６  係合フック
３７  ストッパー
３９  突条
４１  凹部
【図１】
0004972057.tif 000002
【図２】
0004972057.tif 000003
【図３】
0004972057.tif 000004
【図４】
0004972057.tif 000005
【図５】
0004972057.tif 000006
【図６】
0004972057.tif 000007
【図７】
0004972057.tif 000008
【図８】
0004972057.tif 000009